(57)【要約】      （修正有）【課題】コンクリートを打ち継いで構造体を構築する場合のコンクリート打設前の準備作業を簡単かつ短時間に行うことができる可撓止水継手及びその施工方法の提供。【解決手段】先行および後行のコンクリート構造体に打設により埋設固定される先行打設固定部２１および後行打設固定部２２と、これらの間に設けられ止水および相対変位を可能とする伸縮部２３と、可撓止水継手２０と一体もしくは別体に設けられ先行して打設されるコンクリート打設用の妻型枠に取り付けられ打設されるコンクリートに埋設されコンクリート打設前の可撓止水継手２０を支持可能な支持部材２４とを備える。これにより、妻型枠に取り付けた支持部材２４を介して先行打設固定部２１を支持して先行コンクリートを打設すれば良く、妻型枠の設置前に支持部材２４および可撓止水継手２０を取り付けることができ、特殊な妻型枠を必要とせず、通常の妻型枠を使用して施工できる。【選択図】  図３
2006328642.tif 000002
【特許請求の範囲】
【請求項１】
先行および後行のコンクリートを打ち継いで構築されるコンクリート構造体の継手部に設けられて内外の止水および当該継手部の相対変位を可能とする可撓止水継手であって、
前記先行および後行のコンクリート構造体に打設により埋設固定される先行打設固定部および後行打設固定部と、
これら先行打設固定部および後行打設固定部の間に設けられ止水および相対変位を可能とする伸縮部と、
前記可撓止水継手と一体もしくは別体に設けられ先行して打設されるコンクリート打設用の妻型枠に取り付けられコンクリート打設前の当該可撓止水継手を支持可能な支持部材と、
を備えてなることを特徴とする可撓止水継手。
【請求項２】
前記支持部材を、前記コンクリート構造体に埋設される構成としてなることを特徴とする請求項１記載の可撓止水継手。
【請求項３】
前記妻型枠に代えて配置される目地材を備えてなることを特徴とする請求項１または２記載の可撓止水継手。
【請求項４】
前記支持部材が、前記継手部の形状に対応して連続して構成されてなることを特徴とする請求項1〜３のいずれか記載の可撓止水継手。
【請求項５】
前記支持部材が、前記継手部に沿って間隔をあけて配置されてなることを特徴とする請求項１〜３のいずれかに記載の可撓止水継手。
【請求項６】
前記伸縮部が、断面Ｕ字状あるいはＬ字状に構成されてなることを特徴とする請求項１〜５のいずれかに記載の可撓止水継手。
【請求項７】
前記断面Ｕ字状の伸縮部は、開口部を切断可能な蓋部材で閉じて構成されてなることを特徴とする請求項６記載の可撓止水継手。
【請求項８】
先行および後行のコンクリートを打ち継いで構築されるコンクリート構造体の継手部に設けられて内外の止水および当該継手部の相対変位を可能とする可撓止水継手を施工するに際し、
先行のコンクリート構造体に打設により埋設固定される先行打設固定部を有する前記可撓止水継手を、妻型枠に取り付けた支持部材を介して支持した後、先行のコンクリートを打設し、次いで、前記妻型枠を取り除いて前記先行打設固定部に伸縮部を介して連結された後行打設固定部を、後行のコンクリートを打設して埋設固定するようにしたことを特徴とする可撓止水継手の施工方法。
【請求項９】
前記妻型枠に取り付けられた支持部材をコンクリート構造体に埋設するようにしたことを特徴とする請求項８記載の可撓止水継手の施工方法。
【請求項１０】
前記妻型枠を取り除いた後、目地材を接着して後行のコンクリートを打設するようにしたことを特徴とする請求項８または９記載の可撓止水継手の施工方法。
【請求項１１】
前記支持部材を前記継手部に沿って連続して配置して前記可撓止水継手を支持するようにしたことを特徴とする請求項８〜１０のいずれかに記載の可撓止水継手の施工方法。
【発明の詳細な説明】
【技術分野】
【０００１】
この発明は、可撓止水継手およびその施工方法に関し、コンクリートを打ち継いで構築される、水路、水処理施設、海洋護岸、トンネル、共同溝などのコンクリート構造体の継手部の止水および相対変位を可能とする可撓止水継手の施工における準備作業を簡素化できるようにしたものである。
【背景技術】
【０００２】
コンクリートを打ち継いで構築されるコンクリート構造体である水路や水槽あるいは共同溝等の地中に構築される暗渠などの壁部分の継手部には、内外を止水するとともにその両側のコンクリート構造体の地震時変位ならびに温度変化等に起因する壁部分の伸縮等を許容する必要があり、止水板などの可撓止水継手が介設されている。
【０００３】
このようなコンクリート構造体の継手部に介設する可撓止水継手としては、例えば特許文献１に開示された止水板１があり、図１２（ａ）に示すように、中空部２の両端に複数本の係止凸条部３を備えて構成され、それぞれの端部の係止凸条部３を打設されるコンクリート内に埋設して固定するようにしている。
【０００４】
また、共同溝などのコンクリート構造体用の可撓止水継手として、例えば特許文献２に開示された可撓ゴム継手６があり、図１３（ａ）に示すように、略逆Ｕ字状の湾曲部７と、湾曲部７の両開口端間を一体的に接続して、湾曲部７を挟んで断面略Ｖ字状に固定される一対のフランジ部８とを備えて構成され、同図（ｂ）に示すように、フランジ部８に取り付けたアンカーボルト９を打設するコンクリート内に埋設して固定するようにしている。
【特許文献１】特開平９−１０５１６６号公報
【特許文献２】特開２００２−１６７７８９号公報
【発明の開示】
【発明が解決しようとする課題】
【０００５】
ところが、このような特許文献１や特許文献２の可撓止水部材１，６では、コンクリートの打設前に、可撓止水部材１，６を所定の位置に保持する必要があり、特許文献１の止水板１の場合には、図１２（ｂ）に示すように、先行のコンクリート側の係止凸条部３を補強用の鉄筋４に吊り下げるようにするとともに、後でコンクリートに埋設される係止凸条部３を板材などの保持材５で保持する必要があり、コンクリート打設前の準備作業が大変であり、手間と時間がかかるという問題がある。
【０００６】
また、特許文献２の可撓ゴム継手６では、図１３（ｂ）に示すように、フランジ部８にアンカーボルト９を取り付けた状態でアンカーボルト９と鉄筋４とを継手１０を介して溶接するとともに、一対のフランジ部８の外側に間隔保持材１１を取り付けて角度を保持できるようにしており、この場合もコンクリート打設前の準備作業が大変であり、手間と時間がかかるという問題がある。
【０００７】
この発明は、かかる従来技術の問題に鑑みてなされたものであって、コンクリートを打ち継いで構造体を構築する場合のコンクリート打設前の準備作業を簡単かつ短時間に行うことができる可撓止水継手およびその施工方法を提供しようとするものである。
【課題を解決するための手段】
【０００８】
上記課題を解決するためこの発明の請求項１記載の可撓止水継手は、先行および後行のコンクリートを打ち継いで構築されるコンクリート構造体の継手部に設けられて内外の止水および当該継手部の相対変位を可能とする可撓止水継手であって、前記先行および後行のコンクリート構造体に打設により埋設固定される先行打設固定部および後行打設固定部と、これら先行打設固定部および後行打設固定部の間に設けられ止水および相対変位を可能とする伸縮部と、前記可撓止水継手と一体もしくは別体に設けられ先行して打設されるコンクリート打設用の妻型枠に取り付けられコンクリート打設前の当該可撓止水継手を支持可能な支持部材と、を備えてなることを特徴とするものである。
【０００９】
この可撓止水継手によれば、先行および後行のコンクリートを打ち継いで構築されるコンクリート構造体の継手部に設けられて内外の止水および当該継手部の相対変位を可能とする可撓止水継手であって、前記先行および後行のコンクリート構造体に打設により埋設固定される先行打設固定部および後行打設固定部と、これら先行打設固定部および後行打設固定部の間に設けられ止水および相対変位を可能とする伸縮部と、前記可撓止水継手と一体もしくは別体に設けられ先行して打設されるコンクリート打設用の妻型枠に取り付けられコンクリート打設前の当該可撓止水継手を支持可能な支持部材と、を備えており、妻型枠に取り付けた支持部材を介して先行打設固定部を支持して先行コンクリートを打設すれば良く、支持部材を取り付けるボルト孔を妻型枠に加工しておき、妻型枠の設置前に支持部材および可撓止水継手を取り付けることができ、可撓止水継手の取り付けが施工位置でなくても可能となる。そして、特殊な妻型枠を必要とせず、通常の妻型枠を使用して施工することができるようになる。
【００１０】
さらに、この発明の請求項２記載の可撓止水継手は、請求項１記載の構成に加え、  前記支持部材を、前記コンクリート構造体に埋設される構成としてなることを特徴とするものである。
【００１１】
この可撓止水継手によれば、前記支持部材を、前記コンクリート構造体に埋設される構成としてあり、先行コンクリートの打設後、妻型枠を取り除いて支持部材をそのまま残して後行コンクリートの施工ができ、一層施工が容易にできるようになる。
【００１２】
また、この発明の請求項３記載の可撓止水継手は、請求項１または２記載の構成に加え、前記妻型枠に代えて配置される目地材を備えてなることを特徴とするものである。
【００１３】
この可撓止水継手によれば、前記妻型枠に代えて配置される目地材を備えており、先行コンクリートの打設後、妻型枠を取り除いて目地材を設けることで、速やかに後行コンクリートを打設することができるようになる。
【００１４】
さらに、この発明の請求項４記載の可撓止水継手は、請求項1または２記載の構成に加え、前記支持部材が、前記継手部の形状に対応して連続して構成されてなることを特徴とするものである。
【００１５】
この可撓止水継手によれば、前記支持部材が、前記継手部の形状に対応して連続して構成してあり、コンクリート打設前の可撓止水継手の支持だけでなく、使用状態で加わる外力に対しても補強材として機能し、外力が不均一にならないように分散させることができるようになる。
【００１６】
また、この発明の請求項５記載の可撓止水継手は、請求項１〜４のいずれかに記載の構成に加え、前記支持部材が、前記継手部に沿って間隔をあけて配置されてなることを特徴とするものである。
【００１７】
この可撓止水継手によれば、前記支持部材が、前記継手部に沿って間隔をあけて配置してあり、支持部材を、例えば可撓止水継手に一体に設けた雌ねじが形成された部材とすれば、ボルト等で簡単に固定して施工できるようになる。
【００１８】
さらに、この発明の請求項６記載の可撓止水継手は、請求項１〜５のいずれかに記載の構成に加え、前記伸縮部が、断面Ｕ字状あるいはＬ字状に構成されてなることを特徴とするものである。
【００１９】
この可撓止水継手によれば、前記伸縮部が、断面Ｕ字状あるいはＬ字状に構成してあり、十分な伸縮代を確保して変位を吸収できるようにしている。
【００２０】
また、この発明の請求項７記載の可撓止水継手は、請求項６記載の構成に加え、前記断面Ｕ字状の伸縮部は、開口部を切断可能な蓋部材で閉じて構成されてなることを特徴とするものである。
【００２１】
この可撓止水継手によれば、前記断面Ｕ字状の伸縮部は、開口部を切断可能な蓋部材で閉じて構成してあり、閉じた中空状とすることで施工時に水やコンクリートの浸入を防止しながら、大きな変位に対して切断することで、対応できるようにしている。
【００２２】
さらに、この発明の請求項８記載の可撓止水継手の施工方法は、先行および後行のコンクリートを打ち継いで構築されるコンクリート構造体の継手部に設けられて内外の止水および当該継手部の相対変位を可能とする可撓止水継手を施工するに際し、先行のコンクリート構造体に打設により埋設固定される先行打設固定部を有する前記可撓止水継手を、妻型枠に取り付けた支持部材を介して支持した後、先行のコンクリートを打設し、次いで、前記妻型枠を取り除いて前記先行打設固定部に伸縮部を介して連結された後行打設固定部を、後行のコンクリートを打設して埋設固定するようにしたことを特徴とするものである。
【００２３】
この可撓止水継手の施工方法によれば、先行および後行のコンクリートを打ち継いで構築されるコンクリート構造体の継手部に設けられて内外の止水および当該継手部の相対変位を可能とする可撓止水継手を施工するに際し、先行のコンクリート構造体に打設により埋設固定される先行打設固定部を有する前記可撓止水継手を、妻型枠に取り付けた支持部材を介して支持した後、先行のコンクリートを打設し、次いで、前記妻型枠を取り除いて前記先行打設固定部に伸縮部を介して連結された後行打設固定部を、後行のコンクリートを打設して埋設固定するようにしており、妻型枠に取り付けた支持部材を介して先行打設固定部を支持して先行コンクリートを打設すれば良く、支持部材を取り付けるボルト孔を妻型枠に加工しておき、妻型枠の設置前に支持部材および可撓止水継手を取り付けることができ、可撓止水継手の取り付けが施工位置でなくても可能となる。そして、特殊な妻型枠を必要とせず、通常の妻型枠を使用して施工することができ、しかも支持部材を先行コンクリートに埋設したままとすることで、一層施工が容易にできるようになる。
【００２４】
また、この発明の請求項９記載の可撓止水継手の施工方法は、請求項８記載の構成に加え、前記妻型枠に取り付けられた支持部材をコンクリート構造体に埋設するようにしたことを特徴とするものである。
【００２５】
この可撓止水継手の施工方法よれば、前記妻型枠に取り付けられた支持部材をコンクリート構造体に埋設するようにしており、先行コンクリートの打設後、妻型枠を取り除いて支持部材をそのまま残して後行コンクリートの施工ができ、一層施工が容易にできるようになる。
【００２６】
さらに、この発明の請求項１０記載の可撓止水継手の施工方法は、請求項８または９記載の構成に加え、前記妻型枠を取り除いた後、目地材を接着して後行のコンクリートを打設するようにしたことを特徴とするものである。
【００２７】
この可撓止水継手の施工方法よれば、前記妻型枠を取り除いた後、目地材を接着して後行のコンクリートを打設するようにしており、先行コンクリートの打設後、妻型枠を取り除いて目地材を接着することで、速やかに後行コンクリートを打設することができるようになる。
【００２８】
また、この発明の請求項１１記載の可撓止水継手の施工方法は、請求項８〜１０のいずれかに記載の構成に加え、前記支持部材を前記継手部に沿って連続して配置して前記可撓止水継手を支持するようにしたことを特徴とするものである。
【００２９】
この可撓止水継手の施工方法によれば、前記支持部材を前記継手部に沿って連続して配置して前記可撓止水継手を支持するようにしており、コンクリート打設前の可撓止水継手の支持だけでなく、使用状態で加わる外力に対しても補強材として機能し、外力が不均一にならないように分散させることができるようになる。
【発明の効果】
【００３０】
この発明の請求項１記載の可撓止水継手によれば、先行および後行のコンクリートを打ち継いで構築されるコンクリート構造体の継手部に設けられて内外の止水および当該継手部の相対変位を可能とする可撓止水継手で、前記先行および後行のコンクリート構造体に打設により埋設固定される先行打設固定部および後行打設固定部と、これら先行打設固定部および後行打設固定部の間に設けられ止水および相対変位を可能とする伸縮部と、前記可撓止水継手と一体もしくは別体に設けられ先行して打設されるコンクリート打設用の妻型枠に取り付けられコンクリート打設前の当該可撓止水継手を支持可能な支持部材と、を備えて構成したので、妻型枠に取り付けた支持部材を介して先行打設固定部を支持して先行コンクリートを打設すれば良く、支持部材を取り付けるボルト孔を妻型枠に加工しておき、妻型枠の設置前に支持部材および可撓止水継手を取り付けることができ、可撓止水継手の取り付けが施工位置でなくても可能となる。そして、特殊な妻型枠を必要とせず、通常の妻型枠を使用して施工することができる。
【００３１】
さらに、この発明の請求項２記載の可撓止水継手によれば、前記支持部材を、前記コンクリート構造体に埋設される構成としたので、先行コンクリートの打設後、妻型枠を取り除いて支持部材をそのまま残して後行コンクリートを施工することができ、一層施工が容易となる。
【００３２】
また、この発明の請求項３記載の可撓止水継手によれば、前記妻型枠に代えて配置される目地材を備えているので、先行コンクリートの打設後、妻型枠を取り除いて目地材を設けることで、速やかに後行コンクリートを打設することができる。
【００３３】
さらに、この発明の請求項４記載の可撓止水継手によれば、前記支持部材が、前記継手部の形状に対応して連続して構成してあるので、コンクリート打設前の可撓止水継手の支持だけでなく、使用状態で加わる外力に対しても補強材として機能させることができ、外力が不均一にならないように分散させることができる。
【００３４】
また、この発明の請求項５記載の可撓止水継手によれば、前記支持部材が、前記継手部に沿って間隔をあけて配置してあるので、支持部材を、例えば可撓止水継手に一体に設けた雌ねじが形成された部材とすれば、ボルト等で簡単に固定して施工することができる。
【００３５】
さらに、この発明の請求項６記載の可撓止水継手によれば、前記伸縮部が、断面Ｕ字状あるいはＬ字状に構成してあるので、十分な伸縮代を確保して変位を吸収させることができる。
【００３６】
また、この発明の請求項７記載の可撓止水継手によれば、前記断面Ｕ字状の伸縮部は、開口部を切断可能な蓋部材で閉じて構成してあるので、閉じた中空状とすることで施工時に水やコンクリートの浸入を防止することができ、大きな変位に対しては切断することで、対応して変位を吸収することができる。
【００３７】
さらに、この発明の請求項８記載の可撓止水継手の施工方法によれば、先行および後行のコンクリートを打ち継いで構築されるコンクリート構造体の継手部に設けられて内外の止水および当該継手部の相対変位を可能とする可撓止水継手を施工するに際し、先行のコンクリート構造体に打設により埋設固定される先行打設固定部を有する前記可撓止水継手を、妻型枠に取り付けて埋設される支持部材を介して支持した後、先行のコンクリートを打設し、次いで、前記妻型枠を取り除いて前記先行打設固定部に伸縮部を介して連結された後行打設固定部を、後行のコンクリートを打設して埋設固定するようにしたので、妻型枠に取り付けた支持部材を介して先行打設固定部を支持して先行コンクリートを打設すれば良く、支持部材を取り付けるボルト孔を妻型枠に加工しておけば、妻型枠の設置前に支持部材および可撓止水継手を取り付けることができ、可撓止水継手の取り付けが施工位置でなくてもスペースのある場所で行うことができる。これにより、特殊な妻型枠を必要とせず、通常の妻型枠を使用して施工することができ、しかも支持部材を先行コンクリートに埋設したままとすることで、一層施工を容易にすることができる。
【００３８】
また、この発明の請求項９記載の可撓止水継手の施工方法によれば、前記妻型枠に取り付けられた支持部材をコンクリート構造体に埋設するようにしたので、先行コンクリートの打設後、妻型枠を取り除いて支持部材をそのまま残して後行コンクリートを施工することができ、一層施工を容易にすることができる。
【００３９】
さらに、この発明の請求項１０記載の可撓止水継手の施工方法によれば、前記妻型枠を取り除いた後、目地材を接着して後行のコンクリートを打設するようにしたので、先行コンクリートの打設後、妻型枠を取り除いて目地材を接着することで、速やかに後行コンクリートを打設することができる。
【００４０】
また、この発明の請求項１１記載の可撓止水継手の施工方法によれば、前記支持部材を前記継手部に沿って連続して配置して前記可撓止水継手を支持するようにしたので、コンクリート打設前の可撓止水継手の支持だけでなく、使用状態で加わる外力に対しても補強材として機能させることができ、外力が不均一にならないように分散させることができ、耐久性を向上することもできる。
【発明を実施するための最良の形態】
【００４１】
以下、この発明の実施の形態について、図面に基づき詳細に説明する。  
図１〜図３はこの発明の可撓止水継手の一実施の形態にかかり、図１はこの発明の可撓止水継手が適用されるコンクリート構造体の概略斜視図、図２は可撓止水継手の施工後の取付状態の横断面図、図３は可撓止水継手の部分横断面図および取り付け状態で変位した場合の部分横断面図であり、図４および図５はこの発明の可撓止水継手の施工方法の一実施の形態にかかり、図４は施工の第１工程の説明図および支持部材の概略斜視図、図５は第２工程以降の説明図である。
【００４２】
この可撓止水継手２０は、コンクリートを打ち継いで構築されるコンクリート構造体１２，１３の継手部１４を止水するとともに、継手部１４の両側のコンクリート構造体１２，１３の相対変位を可能とするものである。
【００４３】
コンクリート構造体の一例である共同溝では、断面形状が矩形で所定長さの函体１２，１３が継手部１４で連結されて構成されており、開削工法によって均しコンクリート１５の上面に現場打ちによって所定長さ毎（函体毎）に継手部１４を介設して打ち継がれて構築され、完成後は所定深さの地中に埋め戻されるものである。
【００４４】
このようなコンクリート構造体１２、１３の継手部１４に設けられる可撓止水継手２０は、先行打設固定部２１および後行打設固定部２２を備え、これら先行打設固定部２１と後行打設固定部２２との間に伸縮することで止水と相対変位を許容する伸縮部２３とを備えて構成され、ゴムや合成樹脂などの可撓性素材によって横断面方向には一体的に形成され、長手方向には、分割されたものを継手部１４の形状に合わせて工場や現場で環状などに成形される。
【００４５】
この可撓止水継手２０の先行打設固定部２１および後行打設固定部２２は、それぞれ先に打設される先行コンクリート構造体１２および後に打設する後行コンクリート構造体１３に、コンクリートの打設によって埋設固定されるようになっており、埋設固定強度を高めることができる形状としてある。
【００４６】
この可撓止水継手２０の先行打設固定部２１は、例えば略くさび状に形成されて継手部１４と直交するように配置され、横断面における前方が狭い台形状とされて基端部中央に支持用の溝２１ａが形成され、溝２１ａの継手部１４の内側が切り落とされた端面２１ｂとされてコンクリートと接することで埋設固定強度を確保し、溝２１ａの継手部１４の外側２１ｃに伸縮部２３が連続するようになっている。
【００４７】
また、この先行打設固定部２１には、台形状の内側側面にブチルシート２１ｄが設けてあり、その粘着力で接着され、コンクリート構造体１２と先行打設固定部２１との間の止水性を確保するようにしてある。
【００４８】
一方、この先行打設固定部２１と伸縮部２３を介して一体に形成され、後で打設される後行コンクリート構造体１３の打設によって埋設固定される可撓止水継手２０の後行打設固定部２２は、固定強度を高めるとともに、伸び変形時における引き抜き強度を高める突起部２２ａを有しており、例えばこの可撓止水継手２０では、コンクリート構造体１３の外周部と継手部１４の端面１４ａ（コンクリート構造体１３の端面でもある。）に当てられる横断面形状がＬ字状に形成された側面シール部２２ｂと端面固定部２２ｃを備え、側面シール部２２ｂの先端部内側に突き出して横断面形状が円形の突起部２２ａが形成してある。
【００４９】
この突起部２２ａには、コンクリート打設時の空気抜きのため、継手部１４の軸方向に貫通する空気抜き孔２２ｄが形成され、例えば直径が２０ｍｍ程度の孔を所定ピッチで形成する。
【００５０】
さらに、後行打設固定部２２には、側面シ−ル部２２ｂの内側にブチルシート２２ｅが設けてあり、側面シール部２２ｂにその粘着力で接着され、コンクリート構造体１３と後行打設固定部２２との間の止水性を確保するようにしている。
【００５１】
また、この後行打設固定部２２の側面シール部２２ｂの外側には、凸条２２ｆが形成してあり、後述する継手部１４を覆う防水シート２８との密着性を向上し、止水性を向上できるようにしてある。
【００５２】
このような先行打設固定部２１と後行打設固定部２２の間に設けられる可撓性止水継手２０の伸縮部２３は、先行打設固定部２１の溝２１ａの外側に連続する継手垂直部２３ａと、後行打設固定部２２の端面固定部２２ｃの内側端に連続する継手平行部２３ｂとが横断面形状がＬ字状に一体に形成してある。
【００５３】
このように構成した可撓止水継手２０のコンクリート構造体１２,１３の継手部１４への施工方法について、図４および図５により説明する。
【００５４】
この可撓止水継手２０では、継手部１４の端面１４ａを形成するため組み立てられる妻型枠１６を利用して可撓止水継手２０を支持するため支持部材２４が用いられ、これまでの鉄筋などに支持固定する場合に比べ、短時間にコンクリートの打設の準備ができるようにしてある。
【００５５】
この支持部材２４は、図４（ｂ）に示すように、先行打設固定部２１の溝２１ａが装着される支持板部２４ａとこの支持板部２４ａに垂直に突き出す固定板部２４ｂとが略Ｌ字状に配置されてステンレス金属板の溶接構造とされ、継手部１４の形状に対応した形状とされる。
【００５６】
したがって、ここでは、支持部材２４は、図１に示すように、継手部１４が矩形の環状とされているのに対応して、例えば分割して作ったものを最終的には、矩形の環状に連続させたものが用いられる。
【００５７】
そして、この支持部材２４の固定板部２４ｂには、所定のピッチで固定用の取り付け孔２４ｃが形成されるとともに、この固定板部２４ｂの表裏両側にコンクリートが充填できるように切り欠き部２４ｄが取り付け孔２４ｃの間にそれぞれ形成してある。
【００５８】
また、支持部材２４には、妻型枠１６から所定位置に固定板部２４ｂを配置して継手部１４の端面１４ａから所定深さに先行打設固定部２１が埋設されるようにするため間隔保持部材２４ｅが用いられる。
【００５９】
この間隔保持部材２４ｅは、図４（ｃ）に示すように、円筒部２４ｆの中心部に雌ねじが形成された金属製等のねじパイプ２４ｇが取り付けられて構成され、円筒部２４ｆは、例えばコンクリート製とし、コンクリート構造体１２に埋設一体化させるようにする。
【００６０】
また、継手部１４の端面１４ａを形成する妻型枠１６には、予め支持部材２４の取り付け孔２４ｃに対応するボルト孔を形成しておく。
【００６１】
このような支持部材２４を用いて行う可撓止水継手２０の施工は、まず、先にコンクリートを打設する先行コンクリート構造体１２を構築するため型枠を均しコンクリート１５上に組み立てる。
【００６２】
これと並行して、継手部１４の端面１４ａを形成する妻型枠１６に間隔保持部材２４ｅを妻型枠１６の外側からのボルトで取り付けるとともに、この間隔保持部材２４ｅの外側に支持部材２４の固定板部２４ｂを当て、その取り付け孔２４ｃからのボルトで固定板部２４ｂを取り付ける（図４（ａ）参照）。
【００６３】
この後、支持部材２４の支持板部２４ａに可撓止水継手２０の先行打設固定部２１の溝部２１ａを刺し込むようにして取り付け、溝部２１ａの内側の端面２１ｂが固定板部２４ｂに当たるようにする。この可撓止水継手２０の取り付けの際、支持板部２４ａの継手部１４側に目地材２５を配置し、可撓止水継手２０の伸縮部２３の継手垂直部２３ａに接着剤で取り付けるとともに、伸縮部２３の継手平行部２３ｂの先行コンクリート打設側にも目地材２６を配置して接着剤で取り付ける（図５（ａ）参照）。
【００６４】
これにより、可撓性止水継手２０で伸び変形が生じた場合の変位追従性をこれら目地材２５、２６で向上することができる。
【００６５】
このような妻型枠１６への支持部材２４の取り付けおよび可撓止水継手２０の取り付けは、妻型枠１６を設置する現場でなくても良く、広いスペースのある場所や妻型枠１６を設置現場の作業容易な位置に移動して行うようにし、可撓止水継手２０を取り付けた後、妻型枠１６ごと所定の位置に設置するようにする。
【００６６】
これにより、従来の先行コンクリートの打設前に鉄筋などに埋設される先行打設固定部を吊り下げるようにするなどの準備作業に比べ、支持部材２４をボルトで妻型枠１６に取り付け、この支持部材２４に可撓止水部材２０を取り付けるだけで良く、簡単かつ短時間に準備作業を行うことができる。
【００６７】
こうして可撓止水継手２０を取り付けた先行のコンクリート打設用の型枠を設置したのち、先行コンクリートを打設する（図５（ｂ）参照）。
【００６８】
そして、養生後、型枠を脱型し、継手部１４の端面１４ａの妻型枠１６に代えてゴムやスポンジなどの目地材２７を配置し、可撓止水継手２０の伸縮部２３の継手平行部２３ｂに接着して取り付ける。
【００６９】
この目地材２７により可撓止水継手２０の圧縮変形時の変形抵抗の減少および損傷防止を図るようにする。
【００７０】
こののち、後行のコンクリート構造体１３の構築に必要な型枠を組み立てた後、後行のコンクリートを打設する。このコンクリートの打設の際、後行打設固定部２２の突起部２２ａの内側に空気が溜まることがあるので、必要に応じて空気抜き孔２２ｄを設ける。
【００７１】
そして、養生後、型枠を脱型することで継手部１４への可撓止水継手２０の取り付け施工が完了する（図５（ｃ）参照）。
【００７２】
なお、継手部１４の全周、すなわち底部、側面および天面には、防水シート２８を取り付け雨水などの浸入を防止する。この防水シート２８は、コンクリート構造体１２,１３の継手部１４の接続が完了した後、地下構造物とする場合には土砂などで埋め戻されるが、このとき、土砂などが継手部１４に浸入し、可撓止水継手２０に外力が加わるなどの不具合が生じる恐れを防止するために用いるものである。
【００７３】
このような可撓止水継手２０およびその施工方法によれば、例えばコンクリート構造体１２,１３の継手部１４の間隔が開くように相対変位する場合には、図３（ｂ）に示すように、可撓止水継手２０の先行打設固定部２１が先行コンクリート構造体１２に接着固定されるとともに、後行打設固定部２２が後行コンクリート構造体１３に打設によって固定された状態とされて伸縮部２３の継手垂直部２３ａが後方から変形し、相対変位を許容した状態で止水性を保持することができる。
【００７４】
また、この可撓止水継手２０およびその施工方法では、可撓止水継手２０が継手部１４の形状に対応して連続した環状の埋設固定状態の支持部材２４に支持してあるので、可撓止水継手２０に外力が加わった場合に、支持部材２４によって外力を分散させて支持することができ、局部的に損傷することなどを有効に防止することができる。
【００７５】
さらに、このような可撓止水継手２０およびその施工方法によれば、先行コンクリート構造体１２への可撓止水継手２０の取り付けが、妻型枠１６に支持部材２４をボルトで固定し、支持板部２４ａに溝部２１ａを挿入して固定すれば良く、打設前に鉄筋などに吊り下げるように準備する場合に比べ、準備作業を大幅に減少でき、簡単かつ短時間に施工することができるとともに、作業を妻型枠１６の設置位置で行うことなく、スペースのある場所や位置を移動して作業しやすい位置で行うことができる。
【００７６】
また、後行コンクリートの打設を、妻型枠１６を支持部材２４の間隔保持部材２４ｅからボルトを緩めて取り外し、目地材２７を可撓止水継手２０の伸縮部２３の継手平行部２３ｂに部分接着するなどで保持するだけで行うことができ、後行のコンクリートの打設前の準備も短時間に行うことができる。
【００７７】
さらに、この可撓止水継手２０によれば、伸縮部２３が継手垂直部２３ａと継手平行部２３ｂとで略Ｌ字状に配置することで大きな変位を吸収することができ、これにより、継手垂直部２３ａを比較的短くすることができるので、先行打設固定部２１から後行打設固定部２２までの幅を小さくすることができ、コンクリート構造体１２、１３の配筋との干渉を防止でき、取り付けの自由度が向上する。
【００７８】
次に、この発明の可撓止水継手およびその施工方法の他の一実施の形態について、図６により説明するが、すでに説明した上記実施の形態と同一部分には同一記号を記し、重複する説明は省略する。
【００７９】
この可撓止水継手３０は、図６（ａ）,（ｂ）に示すように、先行打設固定部３１および後行打設固定部３２を備え、その間に伸縮部３３を備える構成ですでに説明した可撓止水継手２０と同一であるが、大きく異なるのが伸縮部３３の形状である。
【００８０】
この可撓止水継手３０の先行打設固定部３１は、その外形が、すでに説明した可撓止水継手２０と略同一とされるが、溝部２１ａを省略して継手部１４の内側に端面３１ｂが形成され、外側３１ｃに伸縮部３３が連続するようになっている。
【００８１】
また、後行打設固定部３２は、コンクリートへのアンカー部となる突起部３２ａが側面シール部３２ｂの端部でなく、中間部に設けてある。
【００８２】
この可撓止水継手３０の伸縮部３３は、先行打設固定部３１の外側３１ｃに連続する継手垂直部３３ａと後行のコンクリート構造体１３の端面に沿う継手平行部３３ｂとの間に横断面形状がＵ字状の湾曲部３３ｃが設けられて構成され、この湾曲部３３ｃ内には、補強材が埋設してあり、例えば補強布３３ｄが入れてある。
【００８３】
なお、他の構成はすでに説明した可撓止水部材２０およびその施工方法と同一である。
【００８４】
また、施工方法も、図６（ｂ）に示すように、支持部材２４の支持板部２４ａに溝部が挿入されずに先行打設固定部３１の外側３１ｃの内側面を当てるようにして支持する以外、すでに説明した可撓止水継手と同様にして施工することができる。
【００８５】
このような可撓止水継手３０およびその施工方法によれば、すでに説明した可撓止水継手２０と同一の作用効果を奏するほか、伸縮部３３に湾曲部３３ｃが設けてあるので、図６（ｂ）に示すように、変形代を大きくすることができ、大きな相対変位の吸収能力を確保することができる。また、伸縮部３３が大きく変形しても内部に補強用の補強布３３ｄが入れてあるので、強度を確保することができ、損傷を防止することができる。
【００８６】
次に、この発明の可撓止水継手およびその施工方法のさらに他の一実施の形態について、図７により説明するが、すでに説明した上記第１の実施の形態と同一部分には同一記号を記し、重複する説明は省略する。
【００８７】
この可撓止水継手４０は、図７に示すように、先行打設固定部４１および後行打設固定部４２を備え、その間に伸縮部４３を備える構成ですでに説明した可撓止水継手２０と同一であるが、大きく異なるのが伸縮部４３の形状およびこれを支持する支持部材４４である。
【００８８】
この可撓止水継手４０の伸縮部４３は、先行打設固定部４１の外側４１ｃに連続する継手垂直部を省略して後行のコンクリート構造体１３の端面に沿う継手平行部４３ｂが設けられて構成してあり、可撓止水継手４０の幅（先行打設固定部４１先端から後行打設固定部４２後端までの長さ）を一層小さくしてある。
【００８９】
これにより、支持部材４４の固定板部４４ｂを妻型枠に直接当てて取り付けるようにし、施工完了後は妻型枠に代えて設置する目地材２７に当てられる。そして、支持部材４４の固定板部４４ｂの先行コンクリート側には、キャップ付きナット４４ｅが配置されて妻型枠の外側からボルトで締め付けることができるとともに、打設したコンクリートがナット内には入らないようにしてある。
【００９０】
また、このキャップ付きナット４４ｅと固定板部４４ｂとのいずれか、または両方にＬ字状の鉄筋で構成したアンカー４４ｆが溶接などで取り付けてあり、コンクリート構造体１２への埋設固定強度を高めることができるようにしてある。
【００９１】
なお、他の構成はすでに説明した可撓止水部材２０およびその施工方法と同一である。
【００９２】
また、施工方法も、図７に示すように、支持部材４４の固定板部４４ｂの配置が異なる以外、すでに説明した可撓止水継手２０の場合と同様にして施工することができる。
【００９３】
このような可撓止水継手４０およびその施工方法によれば、すでに説明した可撓止水継手２０およびその施工方法と同一の作用効果を奏するほか、伸縮部４３の継手垂直部が先行打設固定部４１と兼用されて省略してあるので、可撓止水継手４０の幅を一層小さくすることができ、補強用の鉄筋との干渉を防止して設置することが容易となる。
【００９４】
次に、この発明の可撓止水継手およびその施工方法の他の一実施の形態について、図８により説明するが、すでに説明した上記実施の形態と同一部分には同一記号を記し、重複する説明は省略する。
【００９５】
この可撓止水継手５０は、図８（ａ）,（ｂ），（ｃ）に示すように、先行打設固定部５１および後行打設固定部５２を備え、その間に伸縮部５３を備える構成ですでに説明した可撓止水継手２０と同一であるが、大きく異なる部分が先行打設固定部５１の形状と妻型枠への支持のための支持部材５４を可撓止水継手５０と一体としてある点である。
【００９６】
この可撓止水継手５０の先行打設固定部５１は、その横断面形状が先端部が広い略台形状の台形部５１ａと、この台形部５１ａの先端に一体に形成される横断面形状が略Ｔ字状の板状部５１ｂとで構成され、打設される先行コンクリートに埋設され、台形部５１ａおよびＴ字状の板状部５１ｂの形状効果によって強固に固定できるようにしてある。そして、先行打設固定部５１の板状部５１ｂの先端面には、ブチルシート５１ｃが設けてあり、その粘着力で接着され、コンクリート構造体１２と先行打設固定部５１との間の止水性を確保するようにしている。
【００９７】
この先行打設固定部５１の台形部５１ａの基端には、予め支持部材５４を構成するナット５４ａが可撓止水継手５０の押出成形などの加工後、所定のピッチで取り付けられて一体としてある。
【００９８】
この先行打設固定部５１の台形部５１ａに取り付けたナット５４ａの外側５１ｄに伸縮部５３が連続するようになっている。
【００９９】
また、可撓止水継手５０の後行打設固定部５２は、コンクリートへのアンカー部となる横断面形状が略３角形状の突起部５２ａが側面シール部５２ｂの端部から端面固定部５２ｃと平行に配置された平行固定部５２ｄの先端に設けてある。そして、この後行打設固定部５２の平行固定部５２ｄおよび突起部５２ａの背面にブチルシート５２ｅがその粘着力で接着され、コンクリート構造体１３と後行打設固定部５２との間の止水性を確保するようにしている。
【０１００】
この可撓止水継手５０の伸縮部５３は、先行打設固定部５１の外側５１ｄに円弧状の撓み部５３ａを介して後行のコンクリート構造体１３の端面に沿う継手平行部５３ｂが設けられて構成してある。
【０１０１】
なお、他の構成はすでに説明した可撓止水部材２０と同一である。  
また、施工方法も、図８（ｂ）に示すように、支持部材５４のナット５４ａに妻型枠から固定用のボルトを入れて打設前の可撓止水継手５０の支持が行われるとともに、台形部５１ａと板状部５１ｂとの間に目地材５５が、端面固定部５２ｃの外周部分に目地材５６がそれぞれ取り付けられる以外、すでに説明した可撓止水継手２０と同様にして施工することができる。
【０１０２】
このような可撓止水継手５０によれば、すでに説明した可撓止水継手２０と同一の作用効果を奏するほか、支持部材５４のナット５４ａが可撓止水継手５０に予め工場などで一体に取り付けてあるので、現場では、妻型枠にボルトで固定するだけで打設前の準備ができ、一層現場でのコンクリート打設前の準備を簡単に行うことができる。
【０１０３】
なお、後行打設固定部５２の先端に突起部５２ａが形成される平行固定部５２ｄに必要に応じて空気抜き孔を形成するようにしても良い。
【０１０４】
次に、この発明の可撓止水継手およびその施工方法を止水板に適用した他の一実施の形態について、図９により説明する。
【０１０５】
この止水板で構成する可撓止水継手６０では、コンクリート構造体としての壁中央部に両端部が取り付けられて止水するものであり、これまでのように、コンクリート打設前の支持を鉄筋などの配筋に支持することなく、簡単に施工できるようにしたものである。
【０１０６】
この可撓止水継手６０は、先行コンクリートに打設によって埋設固定される先行打設固定部６１と、後行コンクリートに打設によって埋設固定される後行打設固定部６２と、これらの間に配置される中空の伸縮部６３とを備えて構成され、伸縮部６３が下方に突き出す略一直線上に配置されている。
【０１０７】
この可撓止水継手６０では、先行打設固定部６１および後行打設固定部６２が同一形状とされ、板状の表裏両側にそれぞれ２列の係止凸条部６１ａ、６２ａが突き出して形成してある。また、先行打設固定部６１および後行打設固定部６２の先端部には、上下に貫通する貫通孔６１ｂ、６２ｂが形成された突出部が形成してある。
【０１０８】
これら先行打設固定部６１および後行打設固定部６２の間に設けられる伸縮部６３は、略Ｕ字状の伸縮部本体６３ａを備え、その上端開口部が他の部分に比べて薄く大きな力が加わると切断可能な蓋部材６３ｂで塞がれた状態としてある。
【０１０９】
このように構成した可撓止水継手６０のコンクリート構造体１２,１３の継手部１４への施工方法について、図９（ｂ）により説明する。
【０１１０】
このような可撓止水継手６０である止水板の施工には、すでに説明した支持部材２４がそのまま用いられ、継手部１４の端面１４ａを形成する妻型枠１６に間隔保持部材２４ｅを妻型枠１６の外側からのボルトで取り付けるとともに、この間隔保持部材２４ｅの外側に支持部材２４の固定板部２４ｂを当て、その取り付け孔２４ｃからのボルトで固定板部２４ｂを取り付ける。
【０１１１】
この後、支持部材２４の支持板部２４ａに可撓止水継手６０の先行打設固定部６１の内側部分を支えるようにするとともに、後行打設固定部６２を外側に折り曲げるようにし、両側から目地材６４、６５で挟むようにして妻型枠１６で押えるようにする。このほか、コンクリート構造物１２の構築に必要な型枠を組み立てる。
【０１１２】
このような妻型枠１６への支持部材２４の取り付けおよび可撓止水継手６０の取り付けは、すでに説明したように、妻型枠１６を設置する現場でなくても良く、広いスペースのある場所や妻型枠１６を設置現場の作業容易な位置に移動して行うようにし、可撓止水継手６０を取り付けた後、妻型枠１６ごと所定の位置に設置するようにする。
【０１１３】
これにより、従来の先行コンクリートの打設前に鉄筋などに埋設される先行打設固定部を吊り下げるようにするなどの準備作業に比べ、支持部材２４をボルトで妻型枠１６に取り付け、この支持部材２４に可撓止水部材６０を取り付けるだけで良く、簡単かつ短時間に準備作業を行うことができる。
【０１１４】
こうして可撓止水継手６０を取り付けた先行のコンクリート打設用の型枠を設置したのち、先行コンクリートを打設する。
【０１１５】
そして、養生後、継手部１４の端面１４ａの妻型枠１６を脱型し、伸縮部６３の継手部１４の外側（図での上方）の目地材６５に代えて妻型枠１６の厚さを加えた目地材６６を配置するとともに、内側（図での下方）に目地材６７を配置し、可撓止水継手６０の伸縮部６３に接着して取り付ける（図９（ｃ）参照）。
【０１１６】
これらの目地材６６，６７により可撓止水継手６０の圧縮変形時の変形抵抗の減少および損傷防止を図るようにする。
【０１１７】
こののち、後行のコンクリート構造体１３の構築に必要な型枠を組み立てた後、後行のコンクリートを打設する。
【０１１８】
そして、養生後、型枠を脱型することで継手部１４への可撓止水継手６０の取り付け施工が完了する。
【０１１９】
このような可撓止水継手６０およびその施工方法によれば、例えばコンクリート構造体１２,１３の継手部１４の間隔が開くように相対変位する場合に、変位が小さい場合には、中空の伸縮部６３がそのまま変形することで許容し、変位が大きい場合には、中空の伸縮部６３の蓋部材６３ｂが切断されることで大きく変形して許容することができる。
【０１２０】
また、このような可撓止水継手６０およびその施工方法によれば、先行コンクリート構造体１２への可撓止水継手６０の取り付けが、妻型枠１６に支持部材２４をボルトで固定し、支持板部２４ａに先行打設固定部６１を載せるように取り付ければ良く、打設前に鉄筋などに吊り下げるように準備する場合に比べ、準備作業を大幅に減少でき、簡単かつ短時間に施工することができるとともに、作業を妻型枠１６の設置位置で行うことなく、スペースのある場所や位置を移動して作業しやすい位置で行うことができる。
【０１２１】
また、後行コンクリートの打設を、妻型枠１６を支持部材２４の間隔保持部材２４ｅからボルトを緩めて取り外し、目地材６６，６７を可撓止水継手６０の伸縮部６３に部分接着するなどで保持するだけで行うことができ、後行のコンクリートの打設前の準備も短時間に行うことができる。
【０１２２】
次に、この発明の可撓止水継手およびその施工方法の他の一実施の形態について、図１０により説明するが、すでに説明した上記可撓止水継手（止水板）６０の実施の形態と同一部分には同一記号を記し、重複する説明は省略する。
【０１２３】
この可撓止水継手６０Ａでは、伸縮部６３が蓋部材のないＵ字状に構成される点で可撓止水継手６０と異なる。
【０１２４】
なお、他の構成はすでに説明した可撓止水部材６０と同一である。
【０１２５】
このように構成した可撓止水継手６０Ａのコンクリート構造体１２,１３の継手部１４への施工方法について、図１０（ｂ）、（ｃ）により説明する。
【０１２６】
このような可撓止水継手６０Ａである止水板の施工には、すでに説明した可撓止水継手６０と同様に、支持部材２４の支持板部２４ａに可撓止水継手６０Ａの先行打設固定部６１の内側部分を支えるようにするとともに、後行打設固定部６２を折り曲げるようにして針金で妻型枠１６に支持し、両側から小さい目地材６４Ａと大きい目地材６５で挟むようにし妻型枠１６で押えるようにする。このほか、コンクリート構造物１２の構築に必要な型枠を組み立てる。
【０１２７】
こうして可撓止水継手６０Ａを取り付けた先行のコンクリート打設用の型枠を設置したのち、先行コンクリートを打設する。
【０１２８】
そして、養生後、継手部１４の端面１４ａの妻型枠１６を脱型し、伸縮部６３の継手部１４の外側（図での上方）の目地材６５に代えて伸縮部６３のＵ字状の凹部を埋めるように目地材６５Ａを取り付け、さらに妻型枠１６に代えて目地材６６Ａを配置するとともに、内側（図での下方）に目地材６７を配置し、可撓止水継手６０Ａの伸縮部６３に接着して取り付ける（図１０（ｃ）参照）。
【０１２９】
こののち、後行のコンクリート構造体１３の構築に必要な型枠を組み立てた後、後行のコンクリートを打設する。
【０１３０】
そして、養生後、型枠を脱型することで継手部１４への可撓止水継手６０Ａの取り付け施工が完了する。
【０１３１】
このような可撓止水継手６０Ａおよびその施工方法によってもすでに説明した可撓止水継手６０と同様の作用効果を奏する。
【０１３２】
なお、可撓止水継手６０Ａの施工方法として、図１０（ｄ）に示すように、施工後の状態として伸縮部６３のＵ字状の凹部を埋めるように継手外周まで到る大きい目地材６５Ｂを用い、空洞のない状態でコンクリートを打設するようにしても良い。
【０１３３】
次に、この発明の可撓止水継手およびその施工方法を止水板に適用した一実施の形態について、図１１により説明する。
【０１３４】
この止水板で構成する可撓止水継手７０では、すでに説明した可撓止水継手６０，６０Ａと同様に、コンクリート構造体としての壁中央部に両端部が取り付けられて止水するものであり、支持部材を用いることで、コンクリート打設前の支持を鉄筋などの配筋に支持することなく、簡単に施工できるようにする点で上記各実施の形態と共通するが、先行コンクリートの打設後、支持部材をコンクリート構造体に埋設したままとせず、取り外す点で異なるものである。
【０１３５】
この可撓止水継手７０は、先行コンクリートに打設によって埋設固定される先行打設固定部７１と、後行コンクリートに打設によって埋設固定される後行打設固定部７２と、これらの間に配置される略Ｕ字状の伸縮部７３とを備えて構成されている。
【０１３６】
この可撓止水継手７０では、先行打設固定部７１および後行打設固定部７２が同一形状とされ、先行および後行のコンクリート構造体１２，１３の継手部１４の外周のＶ字状の傾斜面１２ａ，１３ａに当てられる固定板部７１ａ，７２ａと、外側面がこれら固定板部７１ａ，７２ａと略直交するとともに、傾斜面１２ａ，１３ａに略垂直で内側面が互いに略直線状の板状アンカー部７１ｂ，７２ｂを備え、それぞれの板状アンカー部７１ｂ，７２ｂの先端部に両外側に膨らんだ膨出部７１ｃ，７２ｃを備えている。
【０１３７】
そして、これら先行打設固定部７１と後行打設固定部７２の間に略Ｕ字状の伸縮部７３が配置され、開口端部に先行打設固定部７１および後行打設固定部７２の内側端部がそれぞれ連結されて一体に形成されている。
【０１３８】
また、この可撓止水継手７０では、先行打設固定部７１および後行打設固定部７２の固定板部７１ａ，７２ａのコンクリート構造体１２，１３側にそれぞれブチルシート７４が取り付けられ、コンクリートとの間の止水性を確保できるようにしてある。
【０１３９】
このように構成した可撓止水継手７０のコンクリート構造体１２,１３の継手部１４への施工方法について、図１１（ｂ）により説明する。
【０１４０】
このような可撓止水継手７０である止水板の施工には、すでに説明した支持部材２４の支持板部２４ａを省略したものが用いられ、継手部１４の端面１４ａを形成する妻型枠１６に間隔保持部材２４ｅを妻型枠１６の外側に当てた押え板２４ｈとともにボルトで取り付け、この間隔保持部材２４ｅの外側に支持部材２４の固定板部２４ｂを当ててボルトで取り付ける。
【０１４１】
この後、支持部材２４の固定板部２４ｂに可撓止水継手７０の伸縮部７３のＵ字状の谷部分を被せるようにして支えるようにするとともに、後行打設固定部７２を伸縮部７３側に折り曲げるようにし、先行打設固定部７１の固定板部７１ａおよび伸縮部７３の外側に保持充填部材７５を装着して固定板部７１ａを支持するようにする。コンクリート構造物１２の構築に必要な型枠を組み立てる。
【０１４２】
このような妻型枠１６への支持部材２４の取り付けおよび可撓止水継手７０の取り付けは、すでに説明したように、妻型枠１６を設置する現場でなくても良く、広いスペースのある場所や妻型枠１６を設置現場の作業容易な位置に移動して行うようにし、可撓止水継手７０を取り付けた後、妻型枠１６ごと所定の位置に設置するようにする。
【０１４３】
これにより、従来の先行コンクリートの打設前に鉄筋などに埋設される先行打設固定部を吊り下げるようにするなどの準備作業に比べ、支持部材２４をボルトで妻型枠１６に取り付け、この支持部材２４に可撓止水部材７０を取り付けるだけで良く、簡単かつ短時間に準備作業を行うことができる。
【０１４４】
こうして可撓止水継手７０を取り付けた先行のコンクリート打設用の型枠を設置したのち、先行コンクリートを打設する。
【０１４５】
そして、養生後、継手部１４の端面１４ａの妻型枠１６を脱型するとともに、支持部材２４も取り外す。そして、伸縮部７３の谷部分に支持部材２４の固定板部２４ｂに代えて固定板部２４ｂの厚さの目地材７６を配置し、コンクリート構造体１２に接着して取り付ける（図１１（ｃ）参照）。
【０１４６】
これらの目地材７６により可撓止水継手７０の圧縮変形時の変形抵抗の減少および損傷防止を図るようにする。
【０１４７】
こののち、後行打設固定部７２の固定板部７２ａと伸縮部７３との間に保持充填部材７５を充填するとともに、後行のコンクリート構造体１３の構築に必要な型枠を組み立てた後、後行のコンクリートを打設する。
【０１４８】
そして、養生後、型枠を脱型することで継手部１４への可撓止水継手７０の取り付け施工が完了する。
【０１４９】
このような可撓止水継手７０およびその施工方法によれば、例えばコンクリート構造体１２,１３の継手部１４の間隔が相対変位する場合にＵ字状の伸縮部７３が変形することで許容することができる。
【０１５０】
また、このような可撓止水継手７０およびその施工方法によれば、先行コンクリート構造体１２への可撓止水継手７０の取り付けが、妻型枠１６に支持部材２４をボルトで固定し、固定板部２４ｂに伸縮部７３を被せ、外側に保持充填部材７５を充填して取り付ければ良く、打設前に鉄筋などに吊り下げるように準備する場合に比べ、準備作業を大幅に減少でき、簡単かつ短時間に施工することができるとともに、作業を妻型枠１６の設置位置で行うことなく、スペースのある場所や位置を移動して作業しやすい位置で行うことができる。
【０１５１】
また、後行コンクリートの打設を、妻型枠１６と支持部材２４とを取り外し、目地材７６を先行コンクリート構造体１２に部分接着するなどで保持するだけで行うことができ、後行のコンクリートの打設前の準備も短時間に行うことができる。
【図面の簡単な説明】
【０１５２】
【図１】この発明の可撓止水継手の一実施の形態にかかる可撓止水継手が適用されるコンクリート構造体の概略斜視図である。
【図２】この発明の可撓止水継手の一実施の形態にかかる可撓止水継手の施工後の取付状態の横断面図である。
【図３】この発明の可撓止水継手の一実施の形態にかかる部分横断面図および取り付け状態で変位した場合の部分横断面図である。
【図４】この発明の可撓止水継手の施工方法の一実施の形態にかかる施工の第１工程の説明図および支持部材の概略斜視図である。
【図５】この発明の可撓止水継手の施工方法の一実施の形態にかかる第２工程以降の説明図である。
【図６】この発明の可撓止水継手の他の一実施の形態にかかるそれぞれの部分横断面図および変形状態の部分横断面図である。
【図７】この発明の可撓止水継手の施工方法のさらに他の一実施の形態にかかる部分横断面図である。
【図８】この発明の可撓止水継手の他の一実施の形態にかかる部分横断面図、施工完了状態の部分横断面図および変形状態の部分横断面図である。
【図９】この発明の可撓止水継手のさらに他の一実施の形態にかかる部分横断面図、施工途中の部分横断面図および施工完了状態の部分横断面図である。
【図１０】この発明の可撓止水継手の他の一実施の形態にかかる部分横断面図、施工途中の部分横断面図、施工完了状態の部分横断面図および他の施工完了状態の部分横断面図である。
【図１１】この発明の可撓止水継手の一実施の形態にかかる部分横断面図、施工途中の部分横断面図、施工完了状態の部分横断面図である。
【図１２】従来の止水板の横断面図およびその施工方法の説明図である。
【図１３】従来の可撓止水継手の正面図およびその施工方法の説明図である。
【符号の説明】
【０１５３】
１２        コンクリート構造体
１３        コンクリート構造体
１４        継手部
１４ａ      端面
１５        均しコンクリート
２０        可撓止水継手
２１        先行打設固定部
２１ａ      溝部
２１ｂ      端面
２１ｃ      外側
２１ｄ      ブチルシート
２２        後行打設固定部
２２ａ      突起部
２２ｂ      側面シール部
２２ｃ      端面固定部
２２ｄ      空気抜き孔
２２ｅ      ブチルシート
２２ｆ      凸条
２３        伸縮部
２３ａ      継手垂直部
２３ｂ      継手平行部
２４        支持部材
２４ａ      支持板部
２４ｂ      固定板部
２４ｃ      取り付け孔
２４ｄ      切り欠き部
２４ｅ      間隔保持部材
２４ｆ      円筒部
２４ｇ      ねじパイプ
２４ｈ      押え板
２５        目地材
２６        目地材
２７        目地材
２８        防水シート
３０        可撓止水継手
３１        先行打設固定部
３２        後行打設固定部
３３        伸縮部
４０        可撓止水継手
４１        先行打設固定部
４２        後行打設固定部
４３        伸縮部
４４        支持部材
５０        可撓止水継手
５１        先行打設固定部
５２        後行打設固定部
５３        伸縮部
５４        支持部材
６０        可撓止水継手
６１        先行打設固定部
６２        後行打設固定部
６３        伸縮部
６０Ａ      可撓止水継手
７０        可撓止水継手
７１        先行打設固定部
７２        後行打設固定部
７３        伸縮部
７４        ブチルシート
７５        保持充填部材
７６        目地材
【図１】
2006328642.tif 000003
【図２】
2006328642.tif 000004
【図３】
2006328642.tif 000005
【図４】
2006328642.tif 000006
【図５】
2006328642.tif 000007
【図６】
2006328642.tif 000008
【図７】
2006328642.tif 000009
【図８】
2006328642.tif 000010
【図９】
2006328642.tif 000011
【図１０】
2006328642.tif 000012
【図１１】
2006328642.tif 000013
【図１２】
2006328642.tif 000014
【図１３】
2006328642.tif 000015